(57)【要約】【課題】  ユーザーに操作しやすい、そして安全性を重視した拡張ボタンを設けたナビゲーション装置を提供する。【解決手段】  ナビゲーション装置は、車両に対して着脱可能となっており、操作ボタン群４の複数回の操作によって特定されるナビゲーション動作の機能、または視聴記録動作の機能が、拡張ボタン２５に割り当てられ、上記拡張ボタンには、上記の視聴記録動作機能よりも経路案内動作機能を優先的に割り当てられるようになっている。【選択図】        図１
2006184191.tif 000002
【特許請求の範囲】
【請求項１】
操作ボタンによる操作によって、経路案内動作またはメディア情報の視聴記録動作を開始させるナビゲーション装置において、
上記操作ボタンの複数回の操作によって特定される経路案内動作機能、または視聴記録動作機能が、割り当てられる拡張ボタンを設けたことを特徴とするナビゲーション装置。
【請求項２】
上記ナビゲーション装置は、車両に対して着脱可能となっており、
上記拡張ボタンには、上記の視聴記録動作機能よりも経路案内動作機能を優先的に割り当てられるようになっていることを特徴とする請求項１に記載のナビゲーション装置。
【請求項３】
上記拡張ボタンは、上記ナビゲーション装置に取り付けられるカバーに設けられていることを特徴とする請求項１または２に記載のナビゲーション装置。
【請求項４】
上記カバーは、上記ナビゲーション装置に取り付けられ配線を被覆させていることを特徴とする請求項３に記載のナビゲーション装置。
【請求項５】
上記拡張ボタンのサイズは、上記操作ボタンのサイズよりも大きいことを特徴とする請求項１〜４のいずれか１項に記載のナビゲーション装置。
【請求項６】
さらに、上記の経路案内動作機能または視聴記録動作機能をカーソルとして表示する表示部が設けられており、
上記カーソルの表示位置と、上記拡張ボタンの配設位置とが対応するようになっていることを特徴とする請求項１〜５のいずれか１項に記載のナビゲーション装置。
【請求項７】
上記表示部における上記カーソルの並び方向と、配設される上記拡張ボタンの並び方向とが、同一方向であることを特徴とする請求項６に記載のナビゲーション装置。
【発明の詳細な説明】
【技術分野】
【０００１】
本発明は、メディアによる放送を受信・録画する放送収録装置として機能することもできる上、経路案内も可能となっている車両搭載タイプのナビゲーション装置に関するものである。
【背景技術】
【０００２】
最近、車両に搭載されるナビゲーション装置は、ユーザーの所望するメディア情報（テレビ等の放送番組の放送情報）を視聴・録画できるようになっている。そのため、経路案内（ナビゲーション）に必要な操作ボタンに加えて、メディア情報を視聴・録画するために必要な操作ボタンを設けなくてはならないようになっている。
【０００３】
しかしながら、無数の操作ボタンをナビゲーション装置に設けることは不可能である。そこで、最近では、特許文献１に示すようなスクロールスイッチを設けることで、操作ボタンの数を削減したナビゲーション装置が開発されている。
【特許文献１】特開２００４−２５８５０１号公報
【発明の開示】
【発明が解決しようとする課題】
【０００４】
しかしながら、上述したように、最近のナビゲーション装置では、ナビゲーション以外の種々の機能が付加されるようになっている。そのため、その各種機能を使いこなすためには、スクロールスイッチを複数回プッシュする必要が生じる。かかるような複数回のプッシュ操作は、車両の走行中には、運転者（ユーザー）の運転への集中を妨げることになってしまい危険である。
【０００５】
一方、複数回のプッシュ操作を回避すべく、複数の操作ボタンをナビゲーション装置に設けようとした場合、上述したように無数の操作ボタンは設けられない上、ユーザーはどの操作ボタンをプッシュすればよいのかわからなくなってしまい、車両の走行中におけるユーザーの運転への集中を妨げることになってしまい危険である。
【０００６】
また、最近のナビゲーション装置では、ユーザーへのナビゲーション情報の視認性を高めるために、モニター画面が拡大する傾向にある。そのために、ナビゲーション装置の外観を占めるモニター画面の比率が高くなり、操作ボタンを複数設けるのは、一層難しくなりつつある。
【０００７】
本発明は、上記の問題点を解決するためになされたものであって、その目的は、ユーザーに操作しやすいボタンを設けたナビゲーション装置を提供することを目的とする。
【課題を解決するための手段】
【０００８】
本発明は、操作ボタンによる操作によって、経路案内動作またはメディア情報の視聴記録動作を開始させるナビゲーション装置であって、上記操作ボタンの複数回の操作によって特定される経路案内動作機能、または視聴記録動作機能が、割り当てられる拡張ボタンを設けたことを特徴としている。
【０００９】
これによると、ユーザー（運転者）は、経路案内や視聴記録を行うために、複数回も操作ボタン操作する必要がなくなる。そのため、運転への集中を妨げられることなく、安全運転することができる。
【００１０】
また、本発明のナビゲーション装置は、車両に対して着脱可能となっており、上記拡張ボタンには、上記の視聴記録動作機能よりも経路案内動作機能を優先的に割り当てられるようになっていることが好ましい。
【００１１】
例えば、車両からナビゲーション装置をはずして、自宅でメディア情報を視聴しようとした場合、運転時における安全性を気にする必要はない。したがって、拡張ボタンに視聴記録動作機能を割り当てる必要性は、安全性という面では低いものとなる。そこで、本発明のナビゲーション装置では、車両搭載時でのユーザーの安全性を高める点から、経路案内動作機能を優先的に拡張ボタンに割り当てるようになっている。
【００１２】
また、本発明のナビゲーション装置では、上記拡張ボタンは、上記ナビゲーション装置に取り付けられるカバーに設けられていることが好ましい。なお、上記カバーは、上記ナビゲーション装置に取り付けられ配線を被覆させるものとなっている。
【００１３】
これによると、ナビゲーション装置本体に拡張ボタンを設けないため、表示部の領域を拡大させることができる。
【００１４】
また、本発明のナビゲーション装置では、上記拡張ボタンのサイズは、上記操作ボタンのサイズよりも大きいことが好ましい。これによると、ユーザーが容易に拡張ボタンを視認でき操作性が向上するためである。
【００１５】
また、本発明のナビゲーション装置では、さらに、上記の経路案内動作機能または視聴記録動作機能をカーソルとして表示する表示部が設けられており、上記カーソルの表示位置と、上記拡張ボタンの配設位置とが対応するようになっていることが好ましい。特に、上記表示部における上記カーソルの並び方向と、配設される上記拡張ボタンの並び方向とが、同一方向になっていることが好ましい。
【００１６】
このようにしておけば、ユーザーが、拡張ボタンを用いて、所望のナビゲーション動作機能を容易に選択できるためである。
【発明の効果】
【００１７】
本発明のナビゲーション装置によると、ユーザー（運転者）は、経路案内（ナビゲーション）や視聴記録を行うために、複数回も操作ボタン操作する必要がなくなり、運転への集中を妨げられることなく、安全運転することができる。
【発明を実施するための最良の形態】
【００１８】
本発明の実施の一形態について、図面に基づいて説明すれば、以下の通りである。
［実施の形態１］
〈ナビゲーション装置等の構成について〉
図１は、車両（不図示）に搭載されたナビゲーション装置７９の構成を示すブロック図である。
【００１９】
この図１に示すように、ナビゲーション装置７９は、少なくとも、位置センサー群１９、メディア放送受信部２１、ＨＤＤ（収録部）２２、モニター（表示部）３、スピーカー２４、操作ボタン群（操作ボタン）４、拡張ボタン２５、端子群５、内蔵電池２６、ＲＡＭ（Random Access Memory）２７、ＲＯＭ（Read Only Memory）２８、および制御部１を含むように構成されている。
【００２０】
位置センサー群１９は、速度検出部１１、ＧＰＳ測位部１２、ジャイロスコープ１３、距離検出部１４、および地磁気検出部１５を含むように構成されている。
【００２１】
速度検出部１１は、車両に備え付けられた車軸の回転状態に基づいて速度を検出するものであり、ＧＰＳ（Global Positioning System）測位部１２は、ＧＰＳ衛星からの電波信号（ＧＰＳ信号）を利用し、車両の緯度・経度・高度等を特定するものである。
【００２２】
ジャイロスコープ１３は、ＧＰＳ衛星からの電波を受信できない場合の補助手段として組み込まれているものであり、前後・左右・上下と３方向に対応する軸を用い、基準点からの相対位置を求めるものである。
【００２３】
距離検出部１４は、車両の前後方向の加速度等から走行距離を検出するものであり、地磁気検出部１５は、地磁気から車両の進行方向を検出するものである。
【００２４】
メディア放送受信部２１は、メディア放送受信アンテナを介して、ＴＶ（TeleVision）放送局やラジオ放送局から送信されてくるＴＶ放送信号やラジオ放送信号を受信するものであり、ＨＤＤ（Hard Disk Drive）２２は、地図情報やＴＶ放送信号・ラジオ放送信号に基づく映像情報・音声情報（映像音声情報）等を記憶するものである。
【００２５】
モニター３は、例えば液晶パネルから構成されるものであり、地図情報やＴＶ放送信号に基づく映像情報等を表示するものである。スピーカー２４は、ＴＶ放送信号やラジオ放送信号に基づく音声情報等を放音するものである。
【００２６】
操作ボタン群（操作キー群）４は、少なくとも、ナビ／ＴＶキー４０、録画開始キー４１ａ、録画停止キー４１ｂ、地図拡大キー４２ａ、地図縮小キー４２ｂ、経路設定キー４３、音量増加キー４４ａ、音量減少キー４４ｂ、拡張登録キー４６、および４方向キー４７・ＥＮＴＥＲキー４８、を含むように構成されている。なお、操作ボタン群４は、操作ボタン４と表現してもよい。
【００２７】
ナビ／ＴＶキー４０は、モニター３上に、ナビゲーション装置７９によるナビゲーション情報等（ナビ設定画面や地図情報等）を表示するか、ＴＶ放送の映像情報等を表示するか否かを決定するものである。録画開始キー４１ａ・録画停止キー４１ｂは、映像音声情報等をＨＤＤ２２に録画を開始させるか録画を停止させるかを決定するためのものである。
【００２８】
地図拡大キー４２ａ・地図縮小キー４２ｂは、ナビゲーションに使用される地図画像を拡大または縮小を決定するためのものである。
【００２９】
経路設定キー４３は、ユーザーの行きたい場所（すなわち目的地）の情報を入力するためのものである。音量増加キー４４ａ・音量減少キー４４ｂは、制御部１に対して、音声情報に基づく音量を増加あるいは減少（ＵＰ／ＤＯＷＮ）させるか否かを決定するためのものである。
【００３０】
拡張登録キー４６は、拡張ボタン２５に、ナビゲーション（経路案内）に必要な機能（経路案内動作機能）や、ＴＶ放送・ラジオ放送の録音・録画等のオーディオ機能（視聴記録動作機能）を割り当てるための登録ボタンである。
【００３１】
４方向キー４７・ＥＮＴＥＲキー４８は、各種操作（例えば進行方向表示等）を行うためのものである。
【００３２】
拡張ボタン２５は、拡張登録キー４６によって、割り振られたボタン（Ｆ１〜Ｆ５）である。
【００３３】
端子群５は、ビデオ接続端子５０、オーディオ接続端子５１、音声出力端子５２、ＧＰＳ外部アンテナ接続端子（ＧＰＳ外部接続端子）５３、ＦＭ放送外部アンテナ接続端子（ＦＭ外部接続端子）５４、ＴＶ放送外部アンテナ接続端子（ＴＶ外部接続端子）５５、ブレーキ端子５６、ＶＩＣＳ信号入力端子（ＶＩＣＳ入力端子）５７、および外部電源入力端子５８を含むように構成されている。なお、端子群５は、端子５と表現してもよい。
【００３４】
ビデオ接続端子５０は、外部で例えばビデオデッキ等を接続するための接続端子であり、そのビデオデッキから送信されてくるビデオ信号を受信するようになっている。オーディオ接続端子５１は、外部で例えばステレオのようなオーディオ装置を接続するための接続端子であり、そのオーディオ装置から送信されてくるオーディオ信号を受信するようになっている。
【００３５】
音声出力端子５２は、外部で例えばウーハー等の放音装置を接続するための接続端子であり、ナビゲーション装置７９からその放音装置へと音声信号を送信させるためのものである。
【００３６】
ＧＰＳ外部アンテナ接続端子５３は、ＧＰＳ測位部１２へと送られるＧＰＳ信号の受信感度が低いとき、受信感度を高めるためのＧＰＳ外部アンテナ（不図示）を接続するための接続端子である。ＦＭ放送外部アンテナ接続端子５４は、メディア放送受信部２１へと送られるＦＭラジオ信号の受信感度が低いとき、受信感度を高めるためのＦＭ外部アンテナ（不図示）を接続するための接続端子である。ＴＶ放送外部アンテナ接続端子５５、メディア放送受信部２１へと送られるＴＶ信号の受信感度が低いとき、受信感度を高めるためのＴＶ外部アンテナ（不図示）を接続するための接続端子である。
【００３７】
ブレーキ端子５６は、不図示である車両のサイドブレーキのＯＮ／ＯＦＦを知らしめるブレーキ信号を受信するための接続端子である。
【００３８】
ＶＩＣＳ信号入力端子５７は、ＶＩＣＳ（Vehicle Information and Communication System）センターで編集・処理された渋滞や交通規制などの道路交通情報（ＶＩＣＳ信号）をリアルタイムに受信するための接続端子である。
【００３９】
外部電源入力端子５８は、外付けのＡＣ電源コードを介した電力供給を受けるための接続端子である。
【００４０】
内蔵電池２６は、例えば不図示の車両搭載型バッテリー電池からの電力供給受けて、電力を蓄電できる電池である。そして、この内蔵電池２６を設けることで、ナビゲーション装置７９は、例えば車両８９から取り外したときでも、動作可能となっている。
【００４１】
ＲＡＭ２７は、制御部１による処理結果（ナビゲーションによる道案内結果等）を記憶するものであり、ＲＯＭ２８は、ナビゲーション装置７９を動作させるための制御プログラム等を記憶するものである。
【００４２】
制御部１は、ナビゲーション装置７９全体の動作制御等を行なう中枢部分となっており、ナビゲーション装置７９の各部材の駆動を有機的に制御して、ナビゲーション動作を統括制御するものである。
〈本発明のナビゲーション装置の種々有る特徴ついての一例〉
以上のように、本発明のナビゲーション装置７９では、操作ボタン群４による操作によって、ナビゲーション動作（経路案内動作）、またはＴＶ放送やラジオ放送の視聴動作やその録画動作（視聴記録動作）が開始させられるようになっている。
【００４３】
そして、操作ボタン群４の複数回の操作によって特定されるナビゲーション動作の機能、または視聴記録動作の機能が、拡張ボタン２５に割り当てたられるようになっている。
【００４４】
このような拡張ボタン２５が設けられるようになっていると、ユーザー（運転者）は、ナビゲーションを受けるために、複数回もボタン操作を行う必要がなくなる。そのため、運転への集中を妨げられることなく、安全運転することができる。
【００４５】
なお、ナビゲーション動作機能の拡張ボタン２５への割り当てでは、例えば図３に示すような割り当てが考えられる。
【００４６】
図３（ａ）では、ナビゲーションのときにモニター３で表示される地図の縮尺レベルを予め定めておき（例えばユーザーが別途に設定することなく出荷時に予め定めておき）、その縮尺レベル（レベル１〜レベル５；１／３０００、１／８０００、１／２１０００、１／７５０００、１／１５００００等）を拡張ボタン２５（Ｆ１〜Ｆ５）に割り当てるようにした場合が示されている。このようにしておけば、例えば運転中、ユーザーは、簡単に地図の縮尺を変更することができる。
【００４７】
図３（ｂ）では、ユーザーの利用頻度の高そうな施設を出荷時に予め設定している場合が示されている。このようにしておけば、例えば運転中、ユーザーが突如ゴルフ場等に行きたくなった場合であっても、容易にゴルフ場等までの経路を選択できるようになっている。
【００４８】
図３（ｃ）では、ナビゲーション装置７９購入後、ユーザーが頻繁に利用する場所（例えば、自宅や勤務会社等の場所）を登録した場合が示されている。このようにしておけば、ユーザーが例えばどこかへ旅行に行った場合、その旅行先（出発地；任意地点）から自宅等（目的地）までの経路を容易に案内してもらうことができる。
【００４９】
図３（ｄ）では、ナビゲーション装置７９購入後、ユーザーが利用しそうな経路（例えば、自宅から昔の友人宅までの経路；自宅⇔友人宅）を登録した場合が示されている。このようにしておけば、ユーザーが経路を忘れた場合であても、自宅（出発地）から友人宅等（目的地）までの経路を容易に案内してもらうことができる。
【００５０】
また、視聴録画動作機能の拡張ボタン２５への割り当てでは、例えば図４に示すような割り当てが考えられる。
【００５１】
図４（ａ）では、ＴＶ放送の音声やラジオ放送の音声のレベル（レベル１〜レベル５；なお、レベル数値の大きいほど音量はおおきくなっている）を拡張ボタン２５に割り当てている場合が示されている。このようにしておけば、例えば細かな段階操作（複数回の音量増加キー４４ａ・音量減少キー４４ｂのプッシュ）によって、音量を調整する場合に比べて、容易に所望の音量に調整することができる。
【００５２】
図４（ｂ）では、ＴＶ放送の音声やラジオ放送の放送局（Ａ放送局〜Ｄ放送局）を拡張ボタン２５に割り当てている場合が示されている。このようにしておけば、例えば細かなＦＭ信号の周波数設定することなく、所望の放送局を選択することができる。
【００５３】
図４（ｃ）では、ＴＶ放送の音声やラジオ放送の録音・録画（収録）を行いたい場合、その収録時間を拡張ボタン２５に割り当てている場合が示されている。このようにしておけば、急いで放送を収録したい場合、所望の時間帯を容易に設定することができる。
【００５４】
なお、上述の図４に示す、音量レベルや放送局、収録時間帯は、例えばユーザーが別途に設定することなく出荷時に予め定めておいても、ユーザーが好みに合わせて設定しても構わない。
【００５５】
なお、本発明のナビゲーション装置７９は、車両に対して着脱可能となっている。そのため、拡張ボタンには、視聴記録動作機能よりもナビゲーション動作機能を優先的に割り当てられるようになっていることが好ましい。
【００５６】
例えば、車両からナビゲーション装置７９をはずして、自宅でＴＶ放送を視聴しようとした場合、運転時における安全性を気にする必要はない（つまり、各操作キーを複数回プッシュすることで安全性が脅かされることはない）。したがって、拡張ボタン２５に視聴記録動作機能を割り当てる必要性は、安全性という面では低いものとなる。
【００５７】
つまり、本発明は、車両にナビゲーション装置７９を搭載している場合に、ユーザーの安全性を高める点から、有利なものとなっている。
［実施の形態２］
本発明の実施の形態２について説明する。なお、実施の形態１で用いた部材と同様の機能を有する部材については、同一の符号を付記し、その説明を省略する。
【００５８】
実施の形態１では、拡張ボタン２５は、ナビゲーション装置７９の外装に設けられているものを例に挙げて説明した。しかしながら、拡張ボタン２５の配設位置はこれに限定されるものではない。
【００５９】
例えば、図５のブロック図・図６のナビゲーション装置７９の外観図に示すように、ナビゲーション装置７９に取り付けられたハードカバー（カバー）８上に拡張ボタン２５が設けられるようになっていてもよい。
【００６０】
具体的には、ナビゲーション装置７９端子群５につながる配線９を隠す（被覆させる）ように設けられたハードカバー８上に、拡張ボタン２５が設けられるようにしてもよい。
【００６１】
このようにしておけば、ナビゲーション装置７９の外装において、モニター３の領域を拡大させることができる。つまり、図２では、拡張ボタン２５を外装（例えばフロントパネル）上に設けるため、その拡張ボタン２５の設置領域分だけ、モニター３の領域が狭くなってしまう。
【００６２】
しかしながら、図６に示すように、ハードカバー８上に拡張ボタン２５を設けると、拡張ボタン２５の設置領域分を用意する必要がなくなる。その結果、図２に示すモニター３の縦サイズＸ等よりも、図６に示すモニター３の縦サイズＹ等のほうが長くすることができる（Ｘ＜Ｙ）。
【００６３】
ところで、このようなハードカバー８は、車両内において、混乱する配線９を見えなくすることで美観性を高める作用を有するとともに、狭い車内において、配線９自体の絡まり合いを防止して運転時の安全性を高めるという作用もある。
【００６４】
すると、車両から取り外して利用するとき、ナビゲーション装置７９からハードカバー８を取り外すこともある。しかし、上述したように、拡張ボタン２５には、視聴記録動作機能よりもナビゲーション動作機能を優先的に割り当てられるようになっている。したがって、ハードカバー８をナビゲーション装置７９から取り外したために、拡張ボタン２５が使えなくなり、運転の安全性が極度に脅かされるというような事態は起こりえないようになっている。
【００６５】
また、ハードカバー８が取り外れているときには、例えば、使用者がナビゲーション装置７９のナビゲーション機能を自宅や徒歩で使用しているときも考えられる。このような場合、拡張ボタン２５が無くて、使用者が複数回の操作を行っても、安全性が極度に脅かされるというような事態は起こりえない。なぜなら、車両にユーザーが乗っておらず、高速で歩いているとは考えづらいためである。
【００６６】
したがって、本発明のナビゲーション装置７９は、携帯時には不要なハードカバー８に着目し、携帯時には運転の安全性が極度に脅かされることがない拡張ボタン２５をこのハードカバー８に設けているといえる。
【００６７】
なお、このようにハードカバー８上に拡張ボタン２５を設ける場合、この拡張ボタン２５とナビゲーション装置７９内の内部回路（例えば制御部１等）とを電気的に接続するために、拡張ボタン２５からの信号（拡張ボタン信号）を入力できる端子（拡張ボタン信号入力端子５１）が端子群５に設けられるようになっている（図５参照）。
［その他の実施の形態］
なお、本発明は上記の実施の形態に限定されず、本発明の趣旨を逸脱しない範囲で、種々の変更が可能である。
【００６８】
例えば、拡張ボタン２５のサイズは、操作ボタン４のサイズよりも大きいことが好ましい。このようにしておけば、ユーザーが容易に拡張ボタン２５を視認でき操作性が向上するためである。
【００６９】
また、図７・図８に示すように、モニター３には、例えばナビゲーション動作機能（図３（ｂ）参照）をカーソルとして表示されるようにし、それらカーソルの表示位置と、拡張ボタン２５（Ｆ１〜Ｆ５）の配設位置とが対応させるようにしてもよい。特に、モニター３におけるカーソルの並び方向と、配設される拡張ボタン２５の並び方向とが、同一方向としておくことが好ましい。
【００７０】
このようにしておけば、ユーザーが、拡張ボタン２５を用いて、所望のナビゲーション動作機能を選択することができるためである。
【産業上の利用可能性】
【００７１】
本発明は、車両に搭載されるナビゲーション装置であって、特に携帯可能な（すなわち車両からの着脱可能な）ナビゲーション装置に有用である。
【図面の簡単な説明】
【００７２】
【図１】本発明のナビゲーション装置の内部構成を示すブロック図である。
【図２】本発明のナビゲーション装置の外観斜視図である。
【図３】ナビゲーション動作機能と拡張ボタンとの対応関係を示す説明図である。
【図４】視聴録画動作機能と拡張ボタンとの対応関係を示す説明図である。
【図５】図１の他の一例を示すブロック図である。
【図６】図２の他の一例を示す外観斜視図である。
【図７】図１・図２のナビゲーション装置でのモニター上のカーソルと、拡張ボタンとの対応を示した平面図である。
【図８】図５・図６のナビゲーション装置でのモニター上のカーソルと、拡張ボタンとの対応を示した平面図である。
【符号の説明】
【００７３】
１    制御部
３    モニター（表示部）
４    操作ボタン群（操作ボタン）
５    端子群
８    ハードカバー（カバー）
９    配線
２５    拡張ボタン
７９    ナビゲーション装置
【図１】
2006184191.tif 000003
【図２】
2006184191.tif 000004
【図３】
2006184191.tif 000005
【図４】
2006184191.tif 000006
【図５】
2006184191.tif 000007
【図６】
2006184191.tif 000008
【図７】
2006184191.tif 000009
【図８】
2006184191.tif 000010